(57)【要約】【課題】列車情報管理装置のソフトウェアの更新にかかる負担を軽減するとともに、これらを確実かつ迅速に行うことができ、確実に管理することが可能な列車情報管理システムを提供すること。【解決手段】列車に搭載され、該列車に搭載される装備やサービス機器の管理および制御を行う列車情報管理装置３１を有する車上システム３と、前記列車情報管理装置３１で使用されるソフトウェアを格納したソフトウェアサーバ４１を有する地上システム４と、を備える列車情報管理システム１において、前記列車情報管理装置３１は、前記列車の電源起動時に、前記地上システムのソフトウェアサーバから該列車の編成に適合した前記ソフトウェアをダウンロードする。【選択図】図１
2010000956.tif 000002
【特許請求の範囲】
【請求項１】
列車に搭載され、該列車に搭載される装備やサービス機器の管理および制御を行う列車情報管理装置を有する車上システムと、前記列車情報管理装置で使用されるソフトウェアを格納したソフトウェアサーバを有する地上システムと、を備える列車情報管理システムにおいて、
前記列車情報管理装置は、前記列車の電源起動時に、前記地上システムのソフトウェアサーバから該列車の編成に適合した前記ソフトウェアをダウンロードすることを特徴とする列車情報管理システム。
【請求項２】
前記列車情報管理装置で使用されるソフトウェアは、用途別に作成された複数の機能ソフトウェアで構成され、
前記列車情報管理装置は、前記列車の電源起動時に、列車編成や列車を構成する車両の個体を識別するための列車固有情報を含むダウンロード要求を出力し、
前記地上ソフトウェアサーバは、前記ダウンロード要求に含まれる列車固有情報に基づき、前記機能ソフトウェアを選択して当該ダウンロード要求を行った列車に固有のソフトウェアを構築することを特徴とする請求項１に記載の列車情報管理システム。
【請求項３】
前記ソフトウェアサーバは、前記ソフトウェアのバージョン毎に指定された稼動日時に基づいて、前記列車情報管理装置がダウンロードする前記ソフトウェアを選択することを特徴とする請求項１または２に記載の列車情報管理システム。
【請求項４】
前記列車情報管理装置にダウンロードされた前記ソフトウェアの状態を監視する機能を地上システム側に設けたことを特徴とする１〜３のいずれか１項に記載の列車情報管理システム。
【請求項５】
前記列車情報管理装置は、前記列車に搭載された装備やサービス機器から運行中に取得した各種情報を、ダウンロードされた前記ソフトウェアの一部として記憶し、電源切断操作によって地上システムに送信し、
前記ソフトウェアサーバは、送信された前記各種情報を前記列車毎に管理することを特徴とする請求項１〜４のいずれか１項に記載の列車情報管理システム。
【請求項６】
前記列車情報管理装置は、電源切断操作によって前記ソフトウェアの一部として記憶した前記各種情報を消去することを特徴とする請求項５に記載の列車情報管理システム。
【請求項７】
列車に搭載され、該列車に搭載される装備やサービス機器の管理および制御を行う機能を具現するソフトウェアが格納された列車情報管理装置のソフトウェア更新方法であって、
前記列車情報管理装置で使用されるソフトウェアを格納したソフトウェアサーバを準備するステップと、
前記ソフトウェアサーバと前記列車情報管理装置とを所定の通信手段で接続するステップと、
前記通信手段を通じて、前記列車情報管理装置から前記ソフトウェアサーバに対してソフトウェアのダウンロード要求を送信するステップと、
前記ソフトウェアサーバが、前記ダウンロード要求に含まれる列車固有情報に基づき、その列車に対応するソフトウェアを選択するステップと、
前記通信手段を通じて、選定した前記ソフトウェアを前記列車情報管理装置に送信するステップと、
を含むことを特徴とする列車情報管理装置のソフトウェア更新方法。
【発明の詳細な説明】
【技術分野】
【０００１】
本発明は、列車に搭載された装備やサービス機器に関する情報（以下「列車情報」という）を管理する列車情報管理システムおよび列車情報管理システムの列車側の装置である列車情報管理装置に格納されるソフトウェアの更新方法に関する。
【背景技術】
【０００２】
近年、運行される列車、特に近郊列車や特急列車においては、より快適な運行、効率的で安全な運行を目的とし、また、万が一の事故、障害時の迅速な復旧を目的とし、列車情報管理装置が搭載されている。この列車情報管理装置は、各車両に搭載された機器、例えば、ドア、エアコン、ブレーキ、モータ、ＡＴＯ（自動列車運転装置）、ＳＩＶ（補助電源としての静止型インバータ）、自動放送装置などから収集された列車情報を用いて車両の運行を管理し、さらには制御することが一般的に行われている。
【０００３】
上述した列車情報管理装置による機能は、ソフトウェアによって実現される。したがって、列車情報管理装置および車両に搭載された装備やサービス機器の機能の拡張や変更は、ソフトウェアを更新することによって実施する。
【０００４】
ところで、従来、列車の故障状態やその情報を遠隔監視する方法として、下記特許文献１などに示されたものがある。この特許文献１では、列車走行中に車両の状態を地上へ伝送し、リアルタイムに故障現象を把握して運転台に対応策を指示することで、復旧時間の短縮を図るものである。しかし、鉄道車両（以下単に「車両」という）には、同一系列であってもその製作や発注の時期により細かい差異があり、これらの細かい差異を全てソフトウェアのバージョンで管理することは困難である。したがって、車両毎の細かい差異を吸収できるソフトウェアを、車両基地単位あるいは線区単位などのある程度まとまった単位で開発し、同一ソフトウェアを搭載した上で、各々の単位毎にバージョンアップすることが一般的に行われている。
【０００５】
【特許文献１】特開平５−５６５０６号公報
【発明の開示】
【発明が解決しようとする課題】
【０００６】
列車情報管理装置のソフトウェアは原則として車両毎または編成毎に搭載されるため、ソフトウェアの改修作業は車両側にて実施する必要がある。すなわち、ソフトウェアのバージョンを更新する場合は、例えば更新ソフトウェアの書き込まれたＲＯＭを交換するか、あるいは更新ソフトウェアの書き込まれたＩＣカードやパソコンから直接各車両の列車情報管理装置のソフトウェアを書き換えるなどして、あらかじめ何日もかけて、ソフトウェアの更新の対象となる編成の全車両に改修作業を行い、所定の期日を持って一斉に切り替える必要がある。しかも、これらの作業は、営業運転の合間に行う必要があり、その計画には大変な労苦がある。また、ソフトウェアの更新の対象となった全ての編成に、更新されたソフトウェアが正しく組み込まれていることを確認することも容易ではない。
【０００７】
また、車両基地単位あるいは線区単位で同一ソフトウェアとする場合、車両毎の細かい差異が１つのソフトウェアに組み込まれるため、ソフトウェアが肥大化し、ソフトウェアの開発や修正にかかる工数や、それに伴うソフトウェアの試験の工数が増大する。また、ソフトウェアの一部に修正を加えた場合でも、そのソフトウェア全体での試験が必要となり、その都度ソフトウェアの試験を行うための環境を整備することも困難となりつつある。
【０００８】
このように、従来の列車情報管理装置では、ソフトウェアの開発や修正およびそれに伴うソフトウェアの試験環境の整備にかかる負担や、車両毎のソフトウェアの更新作業に要する工程や日程に対する負担は大きく、ソフトウェアのバージョン管理も容易ではない、という問題点があった。
【０００９】
本発明は、上記に鑑みてなされたものであって、列車情報管理装置のソフトウェアの更新にかかる負担を軽減するとともに、これらを確実かつ迅速に行うことができ、確実に管理することが可能な列車情報管理システムを提供することを目的とする。
【課題を解決するための手段】
【００１０】
上述した課題を解決し、目的を達成するため、本発明にかかる列車情報管理システムは、列車に搭載され、該列車に搭載される装備やサービス機器の管理および制御を行う列車情報管理装置を有する車上システムと、前記列車情報管理装置で使用されるソフトウェアを格納したソフトウェアサーバを有する地上システムと、を備える列車情報管理システムにおいて、前記列車情報管理装置は、前記列車の電源起動時に、前記地上システムのソフトウェアサーバから該列車の編成に適合した前記ソフトウェアをダウンロードすることを特徴とする。
【発明の効果】
【００１１】
本発明の列車情報管理システムによれば、車両に搭載される列車情報管理装置のソフトウェアをあらかじめ地上システムのソフトウェアサーバにインストールしておき、列車情報管理装置が起動したタイミングで、ソフトウェアがダウンロードされるので、確実にソフトウェアの更新を実施でき、ソフトウェア更新に要する時間、工数の負担を大幅に低減できる、という効果を奏する。
【発明を実施するための最良の形態】
【００１２】
以下に本発明にかかる列車情報管理システムの実施の形態を図面に基づいて詳細に説明する。なお、以下の実施の形態により本発明が限定されるものではない。
【００１３】
実施の形態１．
図１は、本発明にかかる列車情報管理システムの一例を示す構成図である。また、図２は、本実施の形態１にかかる列車情報管理システムの動作を説明するためのブロック図である。
【００１４】
図１において、列車情報管理システム１は、鉄道車両２に搭載される車上システム３および地上システム４を備えている。
【００１５】
鉄道車両２に搭載される車上システム３は、列車情報管理装置３１と、表示器３２と、車両情報送受信装置３３と、車上アンテナ３４とを備えている。列車情報管理装置３１は、ソフトウェアによって車両に搭載される装備やサービス機器の管理および制御を行う。表示器３２は、列車情報管理装置３１で扱う情報を表示する。車両情報送受信装置３３および車上アンテナ３４は、地上システム４との間で、例えば無線による通信を行う送受信手段である。
【００１６】
また、地上システム４は、ソフトウェアサーバ４１と、監視端末４２と、地上情報送受信装置４３と、地上アンテナ４４とを備えている。ソフトウェアサーバ４１は、列車情報管理装置３１で使用するソフトウェアが蓄積されている。監視端末４２は、ソフトウェアサーバ４１におけるソフトウェアの更新を管理する。地上情報送受信装置４３および地上アンテナ４４は、車上システム３との間で、例えば無線による通信を行う送受信手段である。ソフトウェアサーバ４１、監視端末４２および地上情報送受信装置４３は、通信回線であるネットワーク伝送路５により相互接続されている。なお、車上システム３と地上システム４との間の送受信を実現する伝送方式は、地上波、衛星波、あるいは有線などの各種手段を用いることが可能である。  
【００１７】
つぎに、本実施の形態１にかかる列車情報管理システムの動作の流れを、図２を用いて詳細に説明する。なお、図２においては、車上システム３の表示器３２、車両情報送受信装置３３および車上アンテナ３４、地上システム４の地上情報送受信装置４３および地上アンテナ４４、ならびに地上システム側のネットワーク伝送路５は図示せず、動作の流れを簡略化して記載している。
【００１８】
車上システム側の列車情報管理装置３１は、ダウンロード要求を生成するダウンロード要求生成部３１１と、ダウンロードしたソフトウェアの整合性を確認するソフトウェア整合性確認部３１２と、ダウンロードしたソフトウェアを格納するソフトウェア格納部３１３とを備えている。
【００１９】
地上システム側のソフトウェアサーバ４１は、ソフトウェアを蓄積しておくソフトウェア蓄積部４１１と、ソフトウェアの構成が書き込まれるソフトウェアテーブル４１２と、ソフトウェアのバージョン毎に適用される車両編成を設定しておくソフトウェア対応編成設定部４１３と、車両および車両が接続されている列車を特定する車両／列車識別部４１４と、必要なソフトウェアを判断する必要ソフトウェア判断部４１５と、ソフトウェアを構築するソフトウェア構築部４１６とを備えている。また、監視端末４２は、例えば手動入力によってソフトウェアのバージョン毎に適用される車両編成を指定する制御部４２１を備えている。
【００２０】
まず、地上システム側におけるソフトウェアの準備段階について説明する。地上システム側において、ソフトウェアサーバ４１にソフトウェアがインストールされ、ソフトウェア蓄積部４１１にバージョン毎に蓄積されるとともに、当該ソフトウェアのバージョンおよび構成がソフトウェアテーブル４１２に書き込まれる。なお、ソフトウェアサーバ４１にインストールされるソフトウェアは、目的に応じて用途別に作成された複数の機能ソフトウェアで構成されることが好ましい。また、機能ソフトウェアは、例えば車両および列車に搭載される装備やサービス機器に対応して作成されることが好ましい。
【００２１】
監視端末４２では、ソフトウェアのバージョン毎に適用される車両構成が手動入力される。手動入力された車両編成は、制御部４２１を介し、ソフトウェアサーバ４１のソフトウェア対応編成設定部４１３に送られる。なお、ソフトウェアのバージョン毎に適用される車両編成の指定は、ソフトウェア自体に書き込んでおき、ソフトウェアのインストール時にネットワーク伝送路５（図１参照）を通じて管理端末に指示される構成としてもよいし、ソフトウェアサーバ４１上で直接ソフトウェア対応編成設定部４１３に書き込まれる構成としてもよい。
【００２２】
つぎに、列車情報管理装置３１におけるソフトウェアのダウンロード動作について説明する。車上システム側において、車両または車両が接続されている列車の電源起動に伴い、列車情報管理装置３１が起動するとともに、ダウンロード要求生成部３１１によりダウンロード要求が生成されて出力される。ダウンロード要求には、車両の個体を識別する車両の車両番号や、複数の車両が連結されている列車を特定する編成番号、あるいは運行ダイヤ上の番号である列車番号などの固有情報（以下「列車固有情報」という）が含まれている。なお、車両および列車の電源起動は、通常、パンタグラフの上昇や車両および列車に搭載されるバッテリの電源投入により行われる。また、何らかのトラブルによって起動時にダウンロード要求が出力されない場合、あるいはソフトウェアサーバ４１に受理されない場合を考慮し、手動でダウンロード要求を出力できる構成としてもよい。
【００２３】
ダウンロード要求は、無線空間を通じて地上システム側に伝送され、ソフトウェアサーバ４１の車両／列車識別部４１４に入力される。必要ソフトウェア判断部４１５は、ソフトウェア対応編成設定部４１３および車両／列車識別部４１４の情報に基づいて、ソフトウェアテーブル４１２を参照し、その車両および車両が接続されている列車が必要とする機能ソフトウェアを判断する。
【００２４】
ソフトウェア構築部４１６は、必要ソフトウェア判断部４１５の情報に基づいてソフトウェア蓄積部４１１から必要な機能ソフトウェアを選択し、列車情報管理装置３１のソフトウェアを構築する。構築された列車情報管理装置３１のソフトウェアは、無線空間を通じて車上システム側に伝送され、列車情報管理装置３１にダウンロードされる。列車情報管理装置３１にダウンロードされたソフトウェアは、ソフトウェア整合性確認部３１２において整合性の確認が行われ、ソフトウェア格納部３１３に格納される。
【００２５】
そして、列車情報管理装置３１は、ダウンロードされたソフトウェアによって車両および列車に搭載される装備やサービス機器の制御を開始し、列車の営業運転や検修作業が可能な状態となる。
【００２６】
上記したソフトウェアダウンロードの過程において、車両の電源起動以外の操作は全て自動的に行われるため、乗務員等の鉄道従事者への新たな負担は発生せず、ソフトウェアの更新が適用される全ての編成が起動した段階で、ソフトウェアの更新作業が完了となる。
【００２７】
本実施の形態１によれば、車両に搭載される列車情報管理装置３１のソフトウェアをあらかじめ地上システム４のソフトウェアサーバ４１にインストールしておき、列車情報管理装置３１が起動したタイミングで、ソフトウェアがダウンロードされるので、ソフトウェアの更新を確実に行うことができ、従来のようにあらかじめ何日もかけて、ソフトウェアの更新対象となる編成の全車両に対する改修作業を行う必要がなくなり、ソフトウェア更新に要する時間、工数の負担を大幅に低減できる。
【００２８】
また、列車情報管理装置３１がソフトウェアのダウンロード要求時に車両および列車を特定する列車固有情報を送信することによって、ソフトウェアサーバ４１がその車両および列車に最適なソフトウェアを構築することができるため、各車両および列車毎の挙動調整が容易になるとともに、列車情報管理装置３１に搭載されるソフトウェアを必要最小限のサイズにすることができる。
【００２９】
さらに、列車情報管理装置３１のソフトウェアは、目的に応じて用途別に作成された複数の機能ソフトウェアから構築されるので、機能ソフトウェア自体の構造を単純化することができる。また、例えば車両に搭載される装備やサービス機器の一部に変更があった場合、変更された部分に該当する機能ソフトウェアのみ作成すればよく、従来のように列車情報管理装置３１に搭載されるソフトウェアを、車両基地単位あるいは線区単位などのある程度まとまった単位毎に作成するのに比して、ソフトウェアの開発工数とそれに伴う試験の工数を大幅に削減することができる。
【００３０】
また、本実施の形態１における列車情報管理装置のソフトウェア更新方法によれば、列車情報管理装置３１で使用されるソフトウェアを格納したソフトウェアサーバ４１を準備し、ソフトウェアサーバ４１と列車情報管理装置３１とを所定の通信手段で接続し、通信手段を通じて、列車情報管理装置３１からソフトウェアサーバ４１に対してソフトウェアのダウンロード要求を送信し、ソフトウェアサーバ４１が、ダウンロード要求に含まれる列車固有情報に基づき、その列車に対応するソフトウェアを選択し、通信手段を通じて、選定したソフトウェアを列車情報管理装置３１に送信するようにしているので、ソフトウェアの更新を確実に行うことができ、ソフトウェア更新に要する時間、工数の負担を大幅に低減できる。
【００３１】
実施の形態２．
図３は、本実施の形態２にかかる列車情報管理システムの動作を説明するためのブロック図である。なお、図３においては、実施の形態１の図２と同様に、車上システム３の表示器３２、車両情報送受信装置３３および車上アンテナ３４と、地上システム４の地上情報送受信装置４３および地上アンテナ４４と、地上システム側のネットワーク伝送路５は図示せず、動作の流れを簡略化して記載している。また、実施の形態１と同一または同等の構成部には同一符号を付して、その詳細な説明は省略する。
【００３２】
監視端末４２ａの制御部４２１ａは、ソフトウェアのバージョン毎に適用される車両編成を指定する機能に加えて、更新されたソフトウェアのバージョン毎の稼動日時を指定する機能を備えている。
【００３３】
地上システム側のソフトウェアサーバ４１ａは、実施の形態１の構成に加えて、更新されたソフトウェアのバージョン毎の稼動日時を設定しておくソフトウェア稼動日時設定部４１７を備えている。また、必要ソフトウェア判断部４１５ａは、ソフトウェア稼動日時設定部４１７の情報に基づいて、車両が必要とする機能ソフトウェアを判断する機能を備えている。
【００３４】
つぎに、実施の形態２にかかる列車情報管理システムの動作について説明する。まず、地上システム側において、実施の形態１と同様に、目的に応じて用途別に作成された複数の機能ソフトウェアがソフトウェアサーバ４１ａにインストールされる。
【００３５】
そして、監視端末４２ａの制御部４２１ａに、ソフトウェアのバージョン毎に適用される車両編成および稼動開始日時が手動入力され、それぞれソフトウェアサーバのソフトウェア対応編成設定部４１３およびソフトウェア稼動日時設定部４１７に送られる。
【００３６】
ソフトウェアサーバ４１ａにダウンロード要求が入力されると、必要ソフトウェア判断部４１５ａは、ソフトウェア対応編成設定部４１３、車両／列車識別部４１４およびソフトウェア稼動日時設定部４１７の情報に基づいて、ソフトウェアテーブル４１２を参照し、その車両および列車が必要とする機能ソフトウェアを判断し、ソフトウェア構築部４１６は、必要ソフトウェア判断部４１５ａの情報に基づいて、列車情報管理装置３１のソフトウェアを構築する。
【００３７】
本実施の形態２によれば、ソフトウェアのバージョン毎に適用される車両編成および稼動開始日時を設定することによって、車両基地単位あるいは線区単位で、各車両および列車に搭載されるソフトウェアの更新のタイミングを揃えることが可能となる。したがって、例えばダイヤ改正時に一斉にソフトウェアの更新を行う場合などに有効である。
【００３８】
実施の形態３．
図４は、本実施の形態３にかかる列車情報管理システムの動作を説明するためのブロック図である。なお、図４においては、実施の形態１の図２および実施の形態２の図３と同様に、車上システム３の表示器３２、車両情報送受信装置３３および車上アンテナ３４と、地上システム４の地上情報送受信装置４３および地上アンテナ４４と、地上システム側のネットワーク伝送路５は図示せず、動作の流れを簡略化して記載している。また、実施の形態１および実施の形態２と同一または同等の構成部には同一符号を付して、その詳細な説明は省略する。
【００３９】
監視端末４２ｂは、実施の形態２の構成に加えて、各車両毎の列車情報管理装置３１ａのソフトウェアの更新情報を管理する更新情報管理部４２２を備えている。
【００４０】
地上システム側のソフトウェアサーバ４１ｂのソフトウェア構築部４１６は、構築した列車情報管理装置３１ａのソフトウェアを送信するとともに、送信したソフトウェアのバージョンと日時、およびソフトウェアを送信した車両および車両が接続されている列車の列車固有情報を関連付けた更新情報を、監視端末４２ｂの更新情報管理部４２２に出力し、監視端末４２ｂの更新情報管理部４２２で更新情報が一括管理される。
【００４１】
また、監視端末４２ｂの制御部４２１ｂは、必要に応じて列車情報管理装置３１ａのソフトウェア格納部３１３ａにソフトウェアバージョン要求を出力する機能を備えており、列車情報管理装置３１ａのソフトウェア格納部３１３ａは、ソフトウェアバージョン要求に応じて、自身が保有しているソフトウェアのバージョンと、列車情報管理装置３１ａが搭載されている車両および車両が接続されている列車の列車固有情報とを関連付けたソフトウェアバージョン通知を監視端末４２ｂの更新情報管理部４２２に出力する。
【００４２】
本実施の形態３によれば、各車両および車両が接続されている列車の列車固有情報と、各車両に搭載されている列車情報管理装置３１ａのソフトウェアのバージョンとが関連付けられ、地上システム側の監視端末４２ｂによって一括管理されるため、確実かつ容易に各車両および列車毎のソフトウェア更新履歴を管理することができ、ソフトウェアの更新に要する管理・集計工数を低減することができる。
【００４３】
また、必要に応じて随時各車両および列車で稼動している列車情報管理装置３１ａのソフトウェアのバージョンを監視することができ、車両基地単位あるいは線区単位におけるソフトウェアの更新状況を確実に把握することができる。
【００４４】
なお、本実施の形態３では、監視端末４２ｂの制御部４２１ｂは、各車両および列車で稼動している列車情報管理装置３１ａのソフトウェアのバージョンを監視するように構成したが、監視する対象をソフトウェアのバージョンに限定するものではない。
【００４５】
また、本実施の形態３では、更新情報管理部４２２を監視端末４２ｂに設ける構成について説明したが、この構成に限定されるものではなく、例えばソフトウェアサーバ４１ｂに設けるようにしても構わない。
【００４６】
また、各車両および列車で稼動している列車情報管理装置３１ａのソフトウェアのバージョンを監視するタイミングを規定し、定期的に監視する構成としてもよい。このような構成とすれば、より確実にソフトウェアの更新状況を管理することができる。
【００４７】
実施の形態４．
図５は、本実施の形態４にかかる列車情報管理システムの動作を説明するためのブロック図である。なお、図５においては、実施の形態１の図２、実施の形態２の図３および実施の形態３の図４と同様に、車上システム３の表示器３２、車両情報送受信装置３３および車上アンテナ３４と、地上システム４の地上情報送受信装置４３および地上アンテナ４４と、地上システム側のネットワーク伝送路５は図示せず、動作の流れを簡略化して記載している。また、実施の形態１〜３と同一または同等の構成部には同一符号を付して、その詳細な説明は省略する。
【００４８】
列車情報管理装置３１ｂのソフトウェア格納部３１３ｂは、車両および列車に搭載された装備やサービス機器から営業運転中に取得した運行記録を、保有しているソフトウェアの一部として記憶する。運行記録には、ＩＣカード乗車券やクレジットカードの番号等の個人情報や運行上の機密情報等が含まれている。
【００４９】
ソフトウェアサーバ４１ｃは、実施の形態３の構成に加えて、各列車の運行記録を列車毎に管理する列車運行記録管理部４１８を備えている。
【００５０】
列車情報管理装置３１ｂが車両および列車に搭載された装備やサービス機器から営業運転中に取得した運行記録は、列車情報管理装置３１ｂのソフトウェアの一部としてソフトウェア格納部３１３ｂに格納される。
【００５１】
列車情報管理装置３１ｂの電源切断操作が行われると、運行記録が地上システム側のソフトウェアサーバ４１ｃに送信される。ソフトウェアサーバ４１ｃは、各列車毎に受信した運行記録を列車運行記録管理部４１８に格納する。
【００５２】
そして、列車情報管理装置３１ｂは、運行記録を送信した後に、ソフトウェア格納部３１３ｂに格納されたソフトウェアから、運行記録を記憶していた領域を全て消去する。
【００５３】
本実施の形態４によれば、列車情報管理装置３１ｂの電源切断操作によって、車両および列車に搭載された装備やサービス機器から営業運転中に取得した運行記録を地上システム側のソフトウェアサーバ４１ｃに送信することにより、各列車の運行記録を地上システム側で一括管理することが可能である。
【００５４】
また、取得情報を地上システム側に送信した後にソフトウェア格納部３１３ｂにソフトウェアの一部として格納した運行記録の内容を全て消去することによって、運行記録に含まれるＩＣカード乗車券やクレジットカードの番号等の個人情報や運行上の機密情報等の盗難を防止できる。したがって、列車の営業運転終了後の乗務員（検修係員）不在時の車両におけるセキュリティを確保することができる。
【００５５】
なお、電源切断操作によってソフトウェア格納部３１３ｂに格納されたソフトウェアそのものあるいはソフトウェアのセキュリティの対象となるプログラム領域を消去するようにしてもよい。この場合は、次回の電源起動によるダウンロード要求以外の動作は不可能となり、列車情報管理装置３１ｂのソフトウェアに関する情報漏洩をも防ぐことが可能となる。
【００５６】
また、本実施の形態１〜４における地上システム４の機能は、一般的にはソフトウェアで構成されているため、地上システム４の機能追加はソフトウェアの更新により容易に行うことが可能であり、将来の拡張が容易に実施可能である。
【産業上の利用可能性】
【００５７】
以上のように、本発明にかかる列車情報管理システムおよび列車情報管理装置のソフトウェア更新方法は、列車情報管理装置のソフトウェアを迅速かつ確実に更新でき、列車情報管理装置のソフトウェアの管理および更新に要する工数を低減できる発明として有用である。
【図面の簡単な説明】
【００５８】
【図１】本発明にかかる列車情報管理システムの一例を示す構成図である。
【図２】本実施の形態１にかかる列車情報管理システムの動作を説明するためのブロック図である。
【図３】本実施の形態２にかかる列車情報管理システムの動作を説明するためのブロック図である。
【図４】本実施の形態３にかかる列車情報管理システムの動作を説明するためのブロック図である。
【図５】本実施の形態４にかかる列車情報管理システムの動作を説明するためのブロック図である。
【符号の説明】
【００５９】
１  列車情報管理システム
２  鉄道車両
３  車上システム
３１，３１ａ，３１ｂ  列車情報管理装置
３１１  ダウンロード要求生成部
３１２  ソフトウェア整合性確認部
３１３，３１３ａ，３１３ｂ  ソフトウェア格納部
３２  表示器
３３  車両情報送受信装置
３４  車上アンテナ
４  地上システム
４１，４１ａ，４１ｂ，４１ｃ  ソフトウェアサーバ
４１１  ソフトウェア蓄積部
４１２  ソフトウェアテーブル
４１３  ソフトウェア対応編成設定部
４１４  車両／列車識別部
４１５，４１５ａ  必要ソフトウェア判断部
４１６  ソフトウェア構築部
４１７  ソフトウェア稼動日時設定部
４１８  列車運行記録管理部
４２，４２ａ，４２ｂ  監視端末
４２１，４２１ａ，４２１ｂ  制御部
４２２  更新情報管理部
４３  地上情報送受信装置
４４  地上アンテナ
５  ネットワーク伝送路
【図１】
2010000956.tif 000003
【図２】
2010000956.tif 000004
【図３】
2010000956.tif 000005
【図４】
2010000956.tif 000006
【図５】
2010000956.tif 000007